(57)【要約】  電子レンジ加熱可能なポップコーン用バッグ構成が提供される。バッグは、一つ以上の層がフルオロカーボン処理されていないペーパを備える多層構造を含む。内層及び外層として使用されるフルオロカーボン処理されていないペーパから成り、好適な透気度を備える、好適な二層構成が提供される。所望の形状を付与するバッグ構成を折り畳む手法が提供される。
2007528828.tif 000002
【特許請求の範囲】
【請求項１】
（ａ）内部を有し、かつフルオロカーボン処理されていないペーパから成る内層と、フルオロカーボン処理されていないペーパから成る外層を備える折り畳みバッグであって、
(ｉ)  前記内層は、300,000Gurley−秒以下の透気度を有し；
(ii)  前記外層は、30,000Gurley−秒以下の透気度を有する；
折り畳みバッグと；
（ｂ）前記バッグ内部内に配置された未処理のポップコーン穀粒と油/脂成分を含むポップコーン材料；
を備える、電子レンジ加熱可能なポップコーン用装置。
【請求項２】
(ａ) 前記内層は、600,000Gurley−秒以下の透気度を有し；
（ｂ）前記外層は、35,000Gurley−秒以下の透気度を有する；
請求項１に記載の電子レンジ加熱可能なポップコーン用装置。
【請求項３】
（ａ）前記内層は、950,000Gurley−秒以下の透気度を有し；
（ｂ）前記外層は、40,000Gurley−秒以下の透気度を有する；
請求項２に記載の電子レンジ加熱可能なポップコーン用装置。
【請求項４】
(ａ) 前記フルオロカーボン処理されていないペーパから成る内層と、前記フルオロカーボン処理されていないペーパから成る外層との間に配置される、電子レンジと相互作用する構造；
を含む、請求項３に記載の電子レンジ加熱可能なポップコーン用装置。
【請求項５】
(a) 前記ポップコーン材料は、少なくとも50グラムの未処理のポップコーン穀粒と；
54.4℃以下の融点を有する、少なくとも20グラムの油/脂成分；
を備える；
請求項４に記載の電子レンジ加熱可能なポップコーン用装置。
【請求項６】
(a) 前記折り畳みバッグは、第一及び第二の対向し内向きの側面ガセットにより結合される、第一と第二の対向フェースパネルを備える；
請求項５に記載の電子レンジ加熱可能なポップコーン用装置。
【発明の詳細な説明】
【技術分野】
【０００１】
本発明は、食品用の電子レンジ加熱可能なパッケージ化に関する。具体的に示される本開示は、電子レンジ加熱可能なポップコーンを弾けるまで煎るための装置に関する。本明細書の原理は、主としてポップコーン材料を内部に収納するために好ましく設定された、内部を備えるパッケージ用の好適な構成に関する。本原理は具体的には、電子レンジ用ポップコーンパッケージ化の創出のためと、パッケージされた電子レンジ用ポップコーン製品の好適なペーパ材料の利用に関する。
【背景技術】
【０００２】
様々な電子レンジ加熱可能な食品が、現在知られている。本明細書に具体的に関係する製品は、装置が電子レンジ加熱可能なポップコーンを弾けるまで煎るために使用される製品である。一般に、関連する家電製品は、ポップコーン材料を含むパッケージである。使用中、未処理(unpopped)のポップコーン材料を含むパッケージは、電子レンジ内に適正に配置され、またマイクロ波エネルギに晒される。電子レンジ処理の際、ポップコーンは弾けるまで煎られる。
【０００３】
本発明が関連する具体的な構成は、パッケージが、弾けるまで煎る処理の際に膨張する可撓性のバッグまたはポーチである構成である。可撓性のバッグ構成は、例えば米国特許；第4,548,826号明細書と；第4,691,374号明細書と；第5,081,330号明細書と；5,044,777号明細書と；第5,195,829号明細書と；第5,302,790号明細書と；第5,650,084号明細書に記載される。特定された七つの特許の開示は各々、引用することにより本明細書の記載に替えられる。
【０００４】
米国特許第5,044,777号明細書を参照すると、従来の電子レンジ加熱可能なポップコーンパッケージ化の一定の特徴が明らかになる。第一に、バッグは一般に、バッグの内部容積を第一と第二の“チューブ”に分離するために、側面ガセットが使用される形状に規定される。構成が充填されるとき、弾けるまで煎る前に一般にポップコーン材料は二つの“チューブ”のうちの一つに設置され、かつその中にほぼ固定される。このことは、例えば米国特許第5,044,777号明細書の図３に示される。
【０００５】
同様に、一般にポップコーン材料はパッケージ構成の中心部分（大体全長の約1/3の中心周囲）に配置される。多くの構成において、貯蔵の際にパッキング構成は“三重”形状に折り畳まれる。このことは、米国特許第4,044,777号明細書と、第5,195,829号明細書の図面と記載から明らかであり；また米国特許第4,548,826号明細書の図５と；米国特許第4,691,374号明細書の図３と１４と；米国特許第5,650,084号明細書の図１と４に具体的に図示される。
【０００６】
場合によっては、特に近接して配置される電子レンジと相互作用する材料またはサセプタを組み合わせて、二つのチューブのうちのほぼ一つに、またそのチューブのほぼ中心部分のみにポップコーン材料を配置することは、弾けるまで煎ることの好適な特性をもたらすことが分ってきた。このことは、前述された米国特許に一般的に、また米国特許第4,548,826号明細書と第4,691,374号明細書に関連して具体的に引用される。本明細書において、ポップコーン材料が、位置において“ほぼ  のみに”といわれるとき、好ましくは少なくとも80重量％、より好ましくは少なくとも95重量％、最も好ましくはほぼ最大限（即ち、少なくとも99重量％）の材料（ポップコーン、脂肪、香味料など）が定位置にあることを、そのことは意味する。
【０００７】
一般に、電子レンジ用ポップコーンパッケージは、貯蔵の際に、必要ならパッケージ化を介して、グリース（即ち、油/脂）の受容可能な低水準の通路を付与するような材料から作製された二層ペーパ構成を備える。このことは、内層、または外層、または両層用にフルオロカーボン処理されたペーパを使用することにより達成される場合が多い。
【発明の開示】
【０００８】
本発明は、電子レンジ用ポップコーンのパッケージ化と製品の改良に関する。
【０００９】
本開示によって、可撓性で、膨張可能なバッグ形態を含む、電子レンジ加熱可能なポップコーン用装置が提供される。構造は、フルオロカーボン処理剤を用いて処理されていない少なくとも一枚のシートまたはペーパの層を備えるのが好ましい。二層構成の両層は、フルオロカーボン処理されていないペーパ材料を用いて作製されるのが好ましい。
【００１０】
本明細書の、この文脈に使用されるときの用語“二層”は、互いに固定される二枚のペーパを備えるバッグ側壁を形成するために使用される構造を言うことが意図される。用語“二層”は、二枚のペーパの層間に電子レンジと相互作用する構造またはサセプタがシートの形で配置される場合でさえ、この文脈に適用できることが意図される。
【００１１】
一般用語では、好適な構成において、外層と内層が与えられる。内層は一般に、電子レンジ加熱可能なポップコーン用装置またはパッケージの内部を形成する材料の層である。内層は、バッグに封入する前に300,000Gurley−秒以下の透気度を有するペーパ（大体は十分に精製されている）を備えるのが好ましい。内層は、600,000Gurley−秒以下の透気度を有する材料を備えるのが好ましく、また950,000Gurley−秒以下の透気度を有するシート材料から作製されるのが最も好ましい。（Gurley−秒は、以下に特定される試験に従う透気度用の測定単位である。Gurley−秒の数が大きいほど通常、透気度はより小さい。）
【００１２】
内層は、所望されるなら、接着剤または他（フルオロカーボンではないのが好ましい）の材料が内表面上に塗布された、シーラントのフィールドがあるとよい。
【００１３】
本明細書に使用される用語“外層”は、電子レンジ加熱可能なポップコーン用装置または可撓性のバッグの外表面を形成するペーパの層を言うことが意図される。外層は、バッグに使用する前に、30,000Gurley−秒以下の大きさの、より好ましくは35,000Gurley-秒以下の、最も好ましくは40,000Gurley−秒以下の透気度を有するペーパを備えるのが好ましい。
【００１４】
好適な内層と外層の材料を、電子レンジ加熱可能なポップコーン用装置を形成するために、様々な形状に、かつ様々なシール装置を備えて設定できる。事例は本明細書に述べられるが、別の方法も可能である。
【００１５】
一般的で好適なバッグは、第一及び第二の対向し内向きの側面ガセットにより結合される、第一と第二の対向フェースパネルを含むバッグ内部を形成するために、二層構成が折り畳まれたバッグである。側面ガセットの各々は、第一のガセットは第一のフェースパネルに隣接し、また第二のガセットは第二のフェースパネルに隣接する、二つのパネル部分を備えるのが好ましい。様々なそのような構成が可能であり、また使用可能な構成が後で詳述される。
【発明を実施するための最良の形態】
【００１６】
Ｉ. フルオロカーボン処理されたペーパに伴う課題
今までに、物質に関する具体的な政府規制は無かったが、フルオロカーボン処理されたペーパ材料は、電子レンジ用ポップコーンパッケージ化に使用するために好ましくない認識が多少ある。課題は一般に、パッケージ準備の職場環境及び/又はポップコーンパッケージ化の設備に関連する。しかしながら、電子レンジ用ポップコーンを弾けるまで煎る操作の際に、潜在的なフルオロカーボン放出に関する少なくともいくつかの懸案事項もある。
【００１７】
一般に、少なくとも一つのペーパの層のフルオロカーボン処理は、電子レンジ用ポップコーン製品の貯蔵と、出荷と、処理の際に、好ましい油/脂保持特性を達成することに対し極めて重要であると考えられてきた。実際に、多くの市販のペーパ製電子レンジ用ポップコーン製品は、製品中にある未処理のポップコーン材料内部に含まれた油/脂に対する、好ましく低減されたウィッキング特性を達成するために、フルオロカーボン処理されたペーパを使用する。
【００１８】
本明細書には、フルオロカーボン処理されたペーパを使用せずに、含まれた油/脂のウィッキング特性に対する、様々な電子レンジ用ポップコーン材料の好ましい水準の操作を提供する、電子レンジ用ポップコーン製品用に公表された好適な材料と構造がある。
【００１９】
II. 多層の電子レンジ用ポップコーンパッケージ化を準備するのに使用するための好適な    フルオロカーボン処理された材料−十分に精製されたペーパ。
Ａ. 好適なペーパの一般特性
一般に、原料ファイバの適正な選定、ならびにペーパを製造する工程において原料ファイバを十分に精製することは、結果として生ずるペーパに、耐油脂汚染性と耐油脂ペーパ特性を提供するファイバを自身でもたらす。この耐油脂汚染性と耐油脂ペーパ特性は、十分に精製されたファイバのシートの緊密な充填の結果であり、シート内へのまたシートを通り抜ける油脂の移動を物理的に阻止している。十分に精製されたファイバは同様に、表面で十分な量の水分を吸収する。これは、ペーパ表面に親水性を付与し、ファイバひいてはペーパを本質的に撥油性にする水分の層を生み出す。
【００２０】
さらに、十分に精製されたファイバはより可撓性である。このことは、電子レンジ用ポップコーンパッケージ化に重要であることが多く、それは、折り目を付けたりまた折り畳む際に発生するパッケージ化微小亀裂によって油が漏洩するのを促進するからである。より可撓性のファイバは、折り畳んだりまたは折り目を付けたりする処理の際に、好ましくない損傷を受ける可能性が少ない。
【００２１】
耐油脂性と十分に精製されたペーパに役立つために、フィルムフォーマが一般に、ペーパシートの表面に塗布される。そのようなフィルムフォーマの事例は、EVA（エチレン酢酸ビニール）とPVOH（ポリビニルアルコール）の共重合体、またはアクリル樹脂である。一事例は、Johnson Polymer F41である。
【００２２】
電子レンジ用ポップコーンパッケージ化に使用するための好適な、フルオロカーボン処理されていない、十分に精製された、耐油脂ペーパの一般特性は、下記の明細書に提示される。これらの一般特性を満たすいくつかの市販の型のペーパは、ウイスコンシン州(54501)、Rhinelander、 Rhinelander製紙会社、から取得可能である。Rhinelander社は、Wausau−Mosinee協同組合である。製品は、製品コード番号238-9577と製品コード番号238-9696により標示される製品である。以下から明らかであるように、製品番号238-9577は、電子レンジ用ポップコーン・バッグの内部シートとして使用するために特に良く構成されていて、また製品番号238-9696は、電子レンジ用ポップコーン・バッグ構造の外層として特に有効である。Wausau238-9696は一般に、その高い不透過度または大きな白色度のため外部シートに好適である。(Wausau238-9646も、外層に使用可能である。それは238-9696と同類であるが、大きな秤量を有する。)
【００２３】
ＨＲと略記されることもある、本明細書に使用される用語“十分に精製された”は、製紙業界からは通常の定義を有することを意図されていて、一般に、容易に含水されるパルプを極めて小さいすき間まで精製することによる透気度の減少により、耐油脂性がペーパに達成され、最小化されまたは縮小された空所を含む密なシートを生じている。従来は、バレー式かくはん器が、この精製の水準を達成するために使用されていた。最新の製紙工場は大抵の場合、この水準を達成するために精製機を使用している。
【００２４】
一般に、可撓性のペーパ材料を、内部シート、即ちバッグ構造の内表面を形成し、300,000未満の、好ましくは600,000未満の、より好ましくは950,000以下の透気度(Gurley-秒)を有するシートに、使用するのが好ましい。Wausauグレード238-9577は、フルオロカーボン処理されていない材料として、この必要条件を満たすが、Wausauグレード238-9696は満たさない。（Gurley−秒で測定されるとき、数が大きいほど低い透気度である。したがって、記述“以下”は、実際にはより大きな数を言う。記述は代わりに、“少なくとも300,000、好ましくは少なくとも600,000、またより好ましくは少なくとも950,000から成るGurley−秒の透気度値を有する”としてもよい。）
【００２５】
一般に、外層、即ち、可撓性の電子レンジ用ポップコーン・バッグの外表面を形成する層用に、十分に精製されたペーパ材料は、30,000未満の、好ましくは35,000未満の、また大体はかつ最も好ましくは40,000以下の透気度(Gurley-秒)を有するのが好ましい。Wausauグレード238-9696とWausauグレード238-9577の両方とも、この特性を満たす。（Wausauグレード238-9646もまた、25＃ペーパがこのために使用可能である。）
【００２６】
各ペーパ（層）用に、9072-13608グラム/リーム（20-30ポンド/リーム）（279平方メートル（3000平方フィート））の秤量を有する材料を使用するのが好ましい。秤量は、11340グラム/リーム（25ポンド/リーム）以下であるのがより好ましい。各シートは、0.04445-0.0508mm（1.75−2.0ミル）、大体は0.04826mm（1.9ミル）未満、例えば0.04472−0.04826mm（1,8−1.9ミル）の厚み（キャリパ）を有するのが一般的である。
【００２７】
Ｂ．電子レンジ用パッケージ化のためのさらなる好適な外層材料について。
以下の表（表１）に、好適な電子レンジ用ポップコーンパッケージ化での外層として使用できる二つの材料の比較特性が提示される。“Ｘ”と標示された材料は、少なくとも以下の市販製品、ActIIButter(2003）と;Orville Reddenbacher Movie Theater Butter(2003)と；ActIIExtreme Butter(2003) に外層用に使用される市販材料である。これらの製品は、本発明の出願人であるConAgra Foods社により製造され、かつ販売されている。
【００２８】
フルオロカーボン処理されていない、十分に精製されたペーパである,前述のWausauグレード238-9696との比較がある。表１において、キャリパの寸法は、ミル（1/1000 in）で表される。
【表１】
2007528828.tif 000003
【００２９】
Ｃ．電子レンジ用ポップコーンパッケージ化において、内層として使用するためのさらな    る好適な材料について。
以下の表２において、各々は好適な電子レンジ用ポップコーンパッケージ化に使用するために受容可能である、フルオロカーボン処理されたペーパとフルオロカーボン処理されていないペーパの比較提示が行われる。“Ｙ”と標示されたペーパは、少なくとも前述のConAgra社製の市販製品の電子レンジ用ポップコーンパッケージ化の内層として現在使用されているフルオロカーボン処理されたペーパである。Wausauグレード238-9577と標示された製品は、十分に精製された、フルオロカーボン処理されていないペーパである。
【表２】
2007528828.tif 000004
【００３０】
III .好適なパッケージ化形態。
Ａ．電子レンジ用パッケージ化一般に伴う課題。
本開示に記載の好適な十分に精製されたペーパ材料の使用は、従来の電子レンジ用ポップコーン装置に使用されるペーパが、フルオロカーボン処理されていないような材料である場合と比べて、改良された電子レンジ用ポップコーンパッケージ化の耐油脂性または油脂保持特性をもたらす。しかしながら、電子レンジ用ポップコーンパッケージを設定する具体的な方法は、パッケージの全体的な耐油脂性または油脂保持特性に及ぼす影響を有する。いくつかの応用に使用可能な形態は、2004年２月13日に出願され、“油脂を含有するためのシール装置付電子レンジ用バッグ構造と；電子レンジ用ポップコーン製品と；方法”と題名を付けられた、出願番号第60/544,873号を有する米国仮出願明細書に記載され、その完全な開示は、引用することにより本明細書の記載に替えられる、米国実用新案出願とＰＣＴ出願として出願された。そのようなパッケージにおいて、本明細書に述べられる型の好適なフルオロカーボン処理されていない材料の使用は、使用可能な電子レンジ用ポップコーン製品をもたらす。従って、以下の説明の図と関連して本明細書において、そのような構造が記載される。
【００３１】
電子レンジ用ポップコーン装置は一般に、折り畳まれたパッケージを含み、パッケージの中に操作可能に配置される電子レンジと相互作用するシートまたはサセプタを有し、また電子レンジと相互作用する構造に対し防護的関係または熱伝導的関係において配置される電子レンジ加熱可能なポップコーン材料を含む。多くの従来の装置について、貯蔵の際と使用前は、パッケージは、ほぼ三重形状に折り畳まれる。三重形状は一般に、内容物の賞味期限を増進するために、防湿オーバーラップ状態で配置される。
【００３２】
電子レンジ用ポップコーン材料は、少なくとも50グラムの未処理のポップコーン穀粒と、大体54.4℃（130°F）未満の融点を有する少なくとも20グラムの油/脂を備えるのが一般的で；ポップコーン材料は、少なくとも60グラムの未処理のポップコーン穀粒と、54.4℃（130°F）未満の融点を有する少なくとも25グラムの油/脂を含む場合も多い。
【００３３】
前述の引用に示されたそのような装置は一般に、側面ガセットが二つの対向フェースパネルに取付けられる（あるいは一体化される）両側端部で、ペーパと一緒に折り目または折り曲げ部を使用する折り畳まれたペーパ構造を含む。一対の対向端折り曲げ部は一般に、対向する第二のチューブの第二のフェースパネルの両側に第二の一対の対向端折り曲げ部を備えて、バッグの一方のチューブの第一フェースパネルの両側に配置される。ポップコーン材料をバッグ内に最初に装填する際に、ポップコーン材料は一般に、折り目を付けられ、または折り曲げられた側端部の間のパネルの部分に接して、二つのチューブのうちの一方に設置される。
【００３４】
ペーパの折り目は、折り目の縁に沿うペーパ全体に微細亀裂を生ずることがある。ポップコーン材料が折り目の位置と直接の接触状態になることが可能な場合、いくつかの問題が発生することがある。第一には、貯蔵の際に、電子レンジ用ポップコーン材料の容量に応じて、折り目の付いた縁の位置のペーパ材料を通り抜けて油/脂材料の好ましくない水準の漏洩または漏出が発生することが多い。第二には、電子レンジで弾けるまで煎る際に、この同じ折り目の付いた位置に沿って油/脂の好ましくない水準の漏洩または漏出が発生することが多い。本明細書に述べられる改良され十分に精製されたペーパを用いてさえも、そのような折り目はいくつかの不都合をもたらすと予想できる。
【００３５】
電子レンジ用ポップコーンパッケージ化において、電子レンジ用ポップコーン構造の選定された折り目または折り曲げ部に隣接する漏洩または漏出は、所望されるなら従来の構成と比較してより良く処理できる。いくつかの構成において、これはパッケージ内部に特殊なシールパターンまたは装置を設けることにより処理できる。場合によっては、それは、油とペーパの内層との間の表面張力に影響するように、パッケージの内部の選定された領域に材料を塗布することにより処理できる。この後者については、シールに使用される材料と同一の型の材料（接着剤）を使用できる。
【００３６】
Ｂ. 図１−５の構成。
図１の引用数字１は、本開示に記載の電子レンジ加熱可能なポップコーンパッケージを表す。図１において、ポップコーンパッケージ１は、貯蔵用の従来の“三重”形状２で表される。図１において、三重形状２は、貯蔵用オーバーラップ３内部にシールされる。使用可能な貯蔵用オーバーラップ３は、110−140ゲージの二軸配向されたポリプロピレンから成るが、他の材料を使用できる。オーバーラップ３は、ポップコーンパッケージ１が、使用のために貯蔵から移転されるとき廃棄される。
【００３７】
図１において、パッケージ１は、保存されるとき一般的であるような、縁で立って示される。パッケージ１は、二つの対向側面５と、６を有し、各側面５と、６は、後で詳述されるように、折り目が配置される二つの側面ガセット外部端部を備えている。
【００３８】
示されるように、図１に表される構成は、“三重”形状である。本発明は、三重形状として折り畳まれ、または折り畳まれるよう意図される構成に関連して記載されかつ表される。しかしながら、本開示に記載の手法を、他の折り畳み構成に、即ち構成が“三重”形状として折り畳まれないときでさえ、貯蔵用に使用できるのは明らかである。
【００３９】
平面図の図２において、パッケージ１は概略的に、内部に収納されたポップコーン材料を弾けるまで煎るために電子レンジ中に配置されるが、膨張前の時と同じように配向された折り畳み形状で示される。図２において、線１１と１２は、構成の中心領域１３を形成し、かつ折り曲げ部を形成して図１の三重形状にする折り曲げ線を示す。中心領域１３において、未処理のポップコーン材料は一般に、電子レンジと相互作用する構造を好ましく配置するパッケージ１の部分に接し、かつ前述の図２に示されるように配向されるときの配向に配置される。本明細書のこの文脈の用語“電子レンジと相互作用する”は、電子レンジ中の電子レンジエネルギに晒される時に、エネルギを吸収し、かつ熱くなる材料を言うことが意図されている。
【００４０】
弾けるまで煎る操作の際に、ポップコーン穀粒内部の水分は、電子レンジエネルギを吸収し、弾けるまで煎り、かつパッケージ１の膨張のための十分な蒸気と熱を発生している。さらに、電子レンジと相互作用する材料は、電子レンジエネルギを吸収し、またポップコーン材料に熱を放散する。好適な構造において、電子レンジと相互作用する材料は、少なくとも中心領域１３（内部で）を占有し、またポップコーン用パッケージ１の内部の他のどの部分よりもその領域部分と大きな熱伝導接触状態にある。即ち、（面積または重量により）電子レンジと相互作用する材料の大部分は、パッケージ１が材料使用のために電子レンジ中に配置されるとき、電子レンジの相互作用が弾けるまで煎る材料の傍に及ぶバッグ内部の領域と熱伝導的接触状態に配置される。それが電子レンジと相互作用する材料の好適でかつ充分な利用をもたらすため、また同様にポップコーンを弾けるまで煎る処理に関連する熱伝達または熱保持特性に好適なため、このことは好ましい。この手法は、引用文献の装置など従来の装置においても使用される。
【００４１】
図２の線４−４にほぼ沿った断面の、図４に注目する。図４の再検討から、ポップコーン用パッケージは一般に、第一及び第二の対向し内向きの側面ガセット２２と、２３により結合される、第一と第二の対向フェースパネル２０と，２１を有する構成を具備する。この文脈中の“内向きの”により、図４の断面において、ガセット２２と、２３は、互いに向かって指向し、または延びることが意図される。
【００４２】
ガセット２２と２３は一般に、ポップコーン用パッケージ１を第一と第二の膨張可能なチューブ２８と２９に分離する。ポップコーン材料３０は、チューブのうちの一つ、この場合はチューブ２９の内部にほぼ配置されかつほぼ固定される。もう一方のチューブであるチューブ２８は一般に、弾けるまで煎る前は折り畳まれている。実際に、好適な構成においては、チューブ２８は、弾けるまで煎る操作の前に一時的に熱シールにより閉鎖シールされている。
【００４３】
さらに図４を参照すると、側面ガセット２２は一般に、外向きの端部折り目またはフェースパネル２０に隣接する折り曲げ部３３及びフェースパネル２１に隣接する折り曲げ部３４と；内向きの中心折り曲げ部３５；を具備する。同様に、ガセット２３は、外向きの端部折り目または折り曲げ部３８及び３９と；内向きの中心折り曲げ部４０；を具備し；折り曲げ部３９はフェースパネル２１に隣接し、折り曲げ部３８はフェースパネル２０に隣接している。図４に示される装置用のパッケージ１は、材料の二層シートから折り畳まれ、またパネル２０は、その中に中心の長手方向継ぎ目４２を含む。折り曲げ部３３と、３４と、３５と、３８と、３９と、４０などは、例えば、米国特許第5,044,577号明細書と；第5,195,829号明細書と；第5,650,084号明細書に示されるように、可撓性の電子レンジパッケージ化で周知である。
【００４４】
ポップコーン材料３０の下部に、構成またはパッケージ１は、電子レンジと相互作用する構造またはサセプタ４５を含む。電子レンジと相互作用する構造またはサセプタ４５は、従来のデザインから成る。図４に示される装置など具体的な装置では、サセプタ４５は、可撓性のパッケージ１が折り畳まれる積層または層４６と，４７との間に配置される。代表的な電子レンジと相互作用する構造は、可撓性の金属蒸着ポリエステル製シートを備える。サセプタ４５が、シート４６と，４７との間に配置されても、パッケージ１は、２層と呼ばれる。示される事例については、サセプタ４５のみが、層４６と，４７との間の領域の部分を占有する。
【００４５】
さらに図４を参照すると、領域２１aにおいて、パネル２１の内表面が示される。領域２１ａは、未処理のポップコーン材料固定表面を形成する。これは、パッケージ１が電子レンジ中に配置されるとき、弾けるまで煎るために、未処理のポップコーン材料３０が、表面２１ａと接触してほぼ配置され、かつ表面２１ａ上にほぼ位置しているからである。図４を参照すると、ガセット２３は、フェースパネル２１に隣接し、かつ一体であるパネル部分４９を含み；またガセット２２は、フェースパネル２１に隣接し、かつ一体であるパネル部分４８を含む。
【００４６】
図３に注目する。図３には、図１と２に記載の構成を折り曲げできるバッグ用ブランク、またはパネル、またはシート６０の平面図が示されている。図３に図示される機能の多くは、米国特許第5,195,829号明細書と；第5,044,777号明細書と; 第5,650,084号明細書に示され、かつ記載される機能にほぼ類似している。下記に詳述されるように、様々なシーラント構成が、パッケージ１に好ましい機能を提供するために使用される。これらのいずれか、または全て、ならびに改良を、所望されるように実行できる。示されるシーラントフィールドは、使用可能な装置の事例を提供することが意図される。
【００４７】
図３の図は、シート６０の“裏面”；即ち、図１の組立てられたパッケージ１の内表面を形成するシート６０の側面６５、と言われることもあるものから成る。図３に見ることが可能な側面に対向する側面は、“正面”と呼ばれることもあり、またパッケージ１の外表面を形成する。鏡像の構成が同様に可能であるのは当然である。
【００４８】
さらに図３を参照すると、線分６２は、好適な実施形態のために、その内部で電子レンジと相互作用する材料及び構造、またはサセプタ４５など、電子レンジと相互作用する材料の大部分が関連する領域６３を形成する。電子レンジと相互作用する構造、例えば図４のサセプタ４５は、本構成の内部、または外部、または層４６と，４７との間に配置される。一般に、好適な実施形態のために、サセプタ４５は、シート６０の層４６と，４７との間に配置される。
【００４９】
さらに図３を参照すると、再び見られる表面６５は、パッケージ１が折り畳まれたとき、パッケージ１の内表面を形成する表面である。その結果、図４のポップコーン材料３０は最終的に、中央領域６３の上方に配置される。
【００５０】
図３において、線６６は、図４の折り曲げ部３４が形成される場所をほぼ示し；また線６７は一般に、図４の折り曲げ部３９が形成される場所をほぼ示す。折り曲げ部または折り目３４と，３９は、一方のフェース２１に隣接する対向側面ガセット２２と，２３のほぼ外向きの折り曲げ部または折り目である。使用中、そこにポップコーン材料を配置するために、表面２１ａは、折り曲げ部３４と，３９との間に延びている。線６８は折り曲げ部３５（図４）と；線６９は折り曲げ部４０（図４）と；線７０は折り曲げ部３３（図４）と；線７１は折り曲げ部３８（図４）；と一致する。したがって、折り曲げ線６８と６６との間の領域７５は、図４のガセットパネル部分４８をほぼ形成し、また折り曲げ線６７と６９との間の領域７７は、図４のガセットパネル部分４９をほぼ形成する。
【００５１】
一般に、図１の３重形状は、パッケージ１全体を、それが線８０と８１に沿って各々折り曲がるように折り畳むことにより最終的に形成される。この後者の折り曲げは、図２のバッグ構造が別途組立てられた後であるのが一般的と理解される。線８１は、図１の底部縁を形成する。図３と２を参照すると、線８０は折り曲げ部１１を形成し、また線８１は折り曲げ部１２を形成する。
【００５２】
図３を参照すると、側面６５からシート６０の対向側面に配置される縁８４ａに沿うシーラントフィールド８４が、（印加された熱と圧力による）折り畳みの際に、（縁８５ａに沿って配置された）領域８５に係合するのに使用され、図４の長手方向継ぎ目またはシール４２を形成する。折り畳みの際、側面６５の縁８９ａに沿うフィールド８９の様々な部分は同様に、（熱と圧力の印加により）図２の端部シール９０の様々な部分を形成するために、互いに一直線に並ぶことと；図３の側面６５の縁９２ａに沿うフィールド９２の様々な部分は、熱と圧力の印加により図２の端部シール９３を形成するために、互いに一直線に並ぶこと；は明らかである。一般に、フィールド９２は、完成されたバッグの頂部縁を形成し、弾けるまで煎る後に、そこを通して煎られたポップコーンを取除く。図３のシート６０の対向側面上のシーラントフィールド９５と９６は、折り曲げ線６８の周囲で折り畳みが行われ、また熱と圧力が印加されるとき、互いに一直線に並び、折り畳み後、図２の端部９０に沿って、シート６０を好適な形状に固定するのに役立つ。これは、米国特許第5,195,829号明細書の図１ａの構成において行われたことと類似する。同様に、パネルが、折り曲げ線６９の周囲に折り畳まれるとき、図３のシート６０の下側のシーラントフィールド９８と９９は互いに一直線に並び、熱と圧力が印加されるとき、同様に図２の端部９０に安定で、かつ好適な端部形状を提供する。
【００５３】
シーラントフィールド１０３と，１０４と，１０５と，１０６と，１０７と，１０８と，１０９と，１１０に注目する。類似のフィールドは、米国特許第5,195,829号明細書の図１に示されている。折り畳みの際、フィールド１０３−１１０の部分は、互いに接着される（圧力と熱の印加後に）パネルの選択された部分を固定するために、互いに一直線に並び、膨張の際に好ましい形状を提供する。具体的には、折り畳みの際及び圧力と熱の印加後に、フィールド１０３はフィールド１０４に係合し；フィールド１０５はフィールド１０６に係合し；フィールド１０８はフィールド１０７に係合し；フィールド１１０はフィールド１０９に係合する。フィールド１０５と，１０６との間、また同様にフィールド１０８と，１０７との間の係合は、図４のパネル２１に接するパネル４８，４９の選定された部分を、折り畳まれた折り曲げ部または３重形状２（図１）中のポップコーン材料が配置されない領域に固定する傾向がある。フィールド１０４に接して折り畳まれ、かつシールされるシーラントフィールド１０３と、フィールド１０９に接して折り畳まれるフィールド１１０は、図４のパネル２０にシール接触するパネル１１５と，１１６を、折り畳まれた３重形状に固定するのに役立つ。このことは、図４のポップコーン材料３０が、装置中の所望される場所に固定されることを確実にするのに役立つ。これによる有利性は、米国特許第5,195,829号明細書に一部記載される。
【００５４】
再び図３を参照して、シーラントフィールド１２０と，１２１と，１２２と，１２３に注目する。構成が折り曲げ線６６の周囲に折り曲げられるとき、シーラントフィールド１２０は、シーラントフィールド１２１と一直線に並び（かつシーラントフィールド１２１に対して圧力と熱によりシールされ）；構成が折り曲げ線６７の周囲に折り曲げられるとき、シーラントフィールド１２３は、シーラントフィールド１２２と一直線に並ぶ（かつシーラントフィールド１２２に対して圧力と熱によりシールされる）。ポップコーン材料３０が配置されない領域で、フィールド１２０と１２１との間の係合はさらに（熱と圧力により）、パネル４８が、パネル２１（図４）に接してシールされることを確実にし；フィールド１２３と１２２との間の係合はさらに（熱と圧力により）、パネル４９が、パネル２１に接してシールされることを確実にする。これは、米国特許第5,195,829号明細書の図１のフィールドの利用に類似している。フィールド１０５と，１０６と，１０７と，１０８と，１２０と，１２１と，１２２と，１２３の形状と方向は、パッケージ１が、弾けるまで煎るポップコーンからの蒸気下で使用中に膨張するとき、中央部分６３が、比較的平坦のままであるのを確実にするのに役立つ。
【００５５】
ここで、シーラントフィールド１２９と，１３０と，１３３と，１３４に注目する。示される好適な実施形態では、これらは、パネル１１５と，１１６を、パネル２０に接してシールすること（図４）を確実にするためにも使用され、その結果ポップコーン材料３０は、ほぼチューブ２９内に固定され（図４）、加熱の際、所望されるまでチューブ２８内にほぼ拡張したり分散したりすることはない。具体的には、フィールド１２９と１３０は、（熱と圧力の印加により）構成が折り曲げ線７０の周囲に折り曲げられるとき、互いに係合するように配向され；フィールド１３３と１３４は、（熱と圧力の印加により）構成が折り曲げ線７１の周囲に折り曲げられるとき、互いに係合するように配向される。
【００５６】
フィールド１２９と，１３０と，１３３と，１３４と関連するこの型のシールは、旧構造に使用されてきた。例えば、米国特許第5,044,777号明細書の図１を参照されたい。
【００５７】
一般に、シールは、折り畳み後、シーラントが配置される領域への熱と圧力の印加によって生じる。記述される様々なシールについて、シーラントは、両方の隣接するペーパ表面の両方に配置される。このことは都合がよい。しかしながら、シーラントが１つの側面のみに配置され、かつ２つの側面が適切な熱と圧力の追加印加と共に折り畳まれる場合、シールを形成できる。
【００５８】
記述されるシーラントフィールドは、熱と圧力と印加によりシールを形成するよう設定される。代りの型のシール、例えば冷間シールを、本開示に記載の装置に使用できる。
【００５９】
弾けるまで煎る前に、ポップコーン材料を、図３の折り曲げ線６６と，６７；即ち、図４の折り曲げ部３４，３９での折り目との好ましくない水準の直接接触から離れた状態に保つのに役立つシール装置を提供できる。この手法を、本明細書に記載の好適なペーパ材料を用いて使用できるが、場合によっては、それは好ましくない。
【００６０】
折り曲げ線６６については、シーラントフィールド１５０と，１５１に注目し；折り曲げ線６７については、シーラントフィールド１５３と，１５４に注目する。示される好適な構成については、フィールド１５０と，１５１は互いに一体であり、かつ折り曲げ線６６で接することと、同様にフィールド１５３，１５４は、互いに一体であり、かつ折り曲げ線６７で接することが分るが、このことは必要ではない。（別の言い方をすると、フィールド１５０と，１５１は、そこを通る折り曲げ線６６を含む単一フィールドの一部であるのが好ましく、またフィールド１５３と，１５４は、そこを通る折り曲げ線６７を含む単一フィールドの一部であるのが好ましい。）
【００６１】
折り曲げ線６６の周囲の折り曲げ部が作製されるとき、シーラントフィールド１５１は、適正な熱と圧力の供給により生ずる、図４のガセット折り曲げ部絶縁シール１５５を備えて、シーラントフィールド１５０と重複する。同様に、折り曲げ線６７の周囲の折り曲げが生じるとき、フィールド１５４は、適切な熱と圧力が印加されるとき再シールする、図４のガセット折り曲げ部絶縁シール１５６を備えて、フィールド１５３と重複する。
【００６２】
ポップコーン材料が領域６３に配置されるとき、ポップコーン材料と、その中の油/脂などの成分は、シール１５５と，１５６の存在のため、流動することを、即ち、折り目または折り曲げ線６６と，６７（即ち、図４の３４と，３９の折り目）に到達することを抑制される。
【００６３】
シール１５５と，１５６を、所望される場合、電子レンジ用ポップコーンが弾けるまで煎る操作の際、蒸気と熱に晒されるとき解除するように設定できる。しかしながら、これらのシールが使用されるとき、そのような解除は概して好ましくない。
【００６４】
本明細書において、シール１５５，１５６の型のシールは、連結した（大体は隣接する）折り目または折り曲げ部に対して“絶縁シール”と言われることがある。これは、パッケージ１の貯蔵の際、ポップコーン材料内部からの物質の流動と、連結した折り目または折り曲げ部と直接接触に対して、これらのシールが、連結した折り目または折り曲げ部を絶縁するからである。従って、シール１５５は、折り目または折り曲げ部３４（図４）を形成するために、線６６に沿う折り曲げ部または折り目に対する絶縁シーラントフィールドであり、またフィールド１５６は、折り曲げ部または折り目線６７、即ち、折り曲げ部または折り目３９（図４）に対する絶縁シーラントフィールドである。
【００６５】
図３を参照すると、フィールド１５０と，１５１と，１５３と，１５４は、中央領域６３の両縁６３ａと，６３ｂを形成する折り曲げ線６６と、６７の各々に沿った延長部において、連続、即ちその中に隙間がないのが好ましい。シーラントフィールドに対する、またその結果生じるシール１５５と，１５６（図４）におけるこの連続的性質は、折り曲げ線６６と，６７に生じる折り目での好ましくない漏出または漏洩を抑制するのに役立つ。いずれの隙間も十分に小さいなら、絶縁フィールドが連続的でない場合でさえ、いくつかの有益な結果が達成される。
【００６６】
使用されるとき、フィールド１５０と，１５１及び１５３と，１５４に対する好適な全長は、端部９０と，９３（図２）との間のパッケージの全長（または、折り曲げ線６６と，６７の長さ）の少なくとも20％（通常、少なくとも25％、また大体は、少なくとも30％）であるのが好ましい。各々は、図２のパッケージ１または図３の折り曲げ線６６と，６７の長さの少なくとも45％であるのがより好ましく；パッケージの延長部の長手方向のフィールド１５０と，１５１と，１５３と，１５４の長さは、端部９０と，９３との間のパッケージ１、または折り曲げ線６６と，６７（図３）の全長の50％−60％であるのが最も好ましくかつ一般的である。別の方法が可能であるが、これらは好適なシールである。図３では、図２の端部９０と，９３を形成するシート６０の部分は、それぞれ縁９２ａと８９ａである。
【００６７】
使用されるとき、シール１５５と，１５６は少なくとも、３重形状の折り曲げ線８０と，８１（図２の折り曲げ線１１と，１２にそれぞれ相当する）との間に連続的に延びるように配置され、かつ設定されるのが最も好ましい。シール１５５と，１５６を形成するシーラントフィールドは、これよりもさらに延びることが図３から分る。
【００６８】
使用されるとき、図３のフィールド１５０と，１５１と，１５３と，１５４は、図２の折り畳まれたパッケージ１の端部９０と，９３に対応する、パッケージ用シート６０の連結縁９２ａと，８９ａから間隔を開けられた端部で終了することが最も好ましい。間隔は、縁８９ａから少なくとも70ｍｍ（例えば、約80―95ｍｍ）;縁９２ａから少なくとも70mmであるのが好ましい。間隔は、縁８９ａと，９２ａの各々から必ずしも同一である必要はない。実際、示される実施形態においては、同一でない。
【００６９】
図３を参照して、シーラントフィールド１６０と，１６１と，１６２と，１６３と，１６４と，１６５と，１６６に注目する。線６６の周囲に折り曲げる際、フィールド１６０は、フィールド１６１と重複し、熱と圧力の印加時にそれらの間にシールを形成する。線６７の周囲に折り曲げる際、フィールド１６２はフィールド１６３と重複し、熱と圧力の印加時にそれらの間にシールを形成する。折り曲げ線６８と，７０と、６９と，７１の周囲に折り曲げるとき、領域１６４は、熱と圧力の印加後に、領域１６５と，１６６をシールする。シーラントフィールド１６０の領域１５１aは同様に、フィールド１５１の一部である。同様に、領域１６１の領域１５０ａも、領域１５０の一部である。さらに、フィールド１６３の領域１５３ａは、フィールド１５３の一部であり；領域１６２の領域１５４ａは、領域１５４の一部である。
【００７０】
最終結果は、図４のガセット折り曲げ部絶縁シール１５５と，１５６との間に延びる横断閉じ込めシールの折り畳みパッケージ１の領域の形成である。このシーラントフィールドは、貯蔵と、使用の際、図４のシール１５５と，１５６との間の位置で、また同様に中央６３の上方位置で、ポップコーン３０内に油/脂を含有するのに役立つ。横断閉じ込めシールは、別の方法が可能であるが、絶縁シール１５５と，１５６との間の延長部で連続であるのが好ましい。
【００７１】
シール１５５と，１５６（及びフィールド１６０と，１６１と，１６２と，１６３と，１６４と，１６５と，１６６の重複から生じる横断シーラントフィールドの存在）によって、表面部分２１ａ（図４）の中央６３（図３）の周囲のパネル６０に接する３つの側面を持つ絶縁ポーチが形成され、その中に使用の際にポップコーン材料が貯蔵される。示される実施形態において、図３の領域１６８に沿って、同様に操作する製品用の横断シールは、配置されない。しかしながら、所望されるなら、第二の製品用の横断シールを、領域１６８を横断して配置できる。
【００７２】
フィールド１６０と，１６１と，１６２と，１６３と，１６４と，１６５と，１６６によって形成されるシールを、剥離自在なシール、即ち、弾けるまで煎る操作の際、熱と、蒸気と、パッケージの膨張が、これらのシールをほぼ切断するように作製できる。
【００７３】
場合によっては、特定の位置に連続な接着剤を、また他の位置に不連続な接着剤を提供することがましい。図３において、点付きの印刷パターンを備え、付番２００で示されるフィールドは、層４６と，４７に使用されるペーパの性質に一部依存する、連続的な適用範囲を有するための好適な位置を示している。これは、シーラントを、いくつかの利点のある耐油効果を提供するように好ましく選定できるからである。点付きでない領域では、不連続な適用範囲を使用できると予想される。
【００７４】
図４を参照すると、シール１５５と，１５６の幅は、少なくとも0.25ｃｍ、大体で、かつ好ましくは少なくとも0.5ｃｍ、大体で約0.8−1.4ｃｍであるのが好ましい。この文脈の“幅”は、縁１５５ａと，１５６ａの各々から内向きの、即ち、互いに向けての延長の距離である。シール１５５と，１５６は、一定の幅から成る必要はないが、それらをこのように示すのは当然である。
【００７５】
場合によっては、図３と４に記載の構成を備える、電子レンジ用ポップコーン材料の油/脂成分に応じて、圧力の弱まった位置または位置に向かう液状油移動が課題になることが多い。こういう場合、接着剤フィールドまたは他の表面処理を、ペーパの表面張力を変更し、ひいては油の移動特性を変更するために、構成の様々な位置に応用できる。そのような接着剤は、この効果を提供するために基材間にシールされることを必要としない。むしろ本効果は、接着剤が塗布される材料（即ち、内層の内側）の表面張力変化または表面特性変化に起因する。ミネソタ州、St.Paul、H.B.Fuller社から入手可能なPWF3007などの非フルオロカーボン処理剤が使用される。PWF3007は、酢酸ビニル樹脂系接着剤である。
【００７６】
Ｃ．具体的事例；好適なシーラント材料。
以下の具体的事例と好適な材料の一般特性から、本発明の原理の広範な応用が理解される。
【００７７】
例えば、約20−90グラム、大体は約60−75グラムのポップコーンから成る材料を含有する一般的なポップコーン製品を考慮されたい。材料は、従来式で、また油/脂及び/又は食品添加物も含有し、約90−100グラムの全重量を有する。一般に、本発明が有利性を提供するための課題は、貯蔵と処理の際、パッケージ側壁を通り抜ける好ましくない水準の油/脂の漏出量を低減することに関連する。
【００７８】
そのような構成の事例については、図３のシート６０は、約29.5ｃｍ×53.3ｃｍ（約11.625in×21in）の外側寸法を持つ矩形の形状を有する。様々な折り曲げ線は、線６２により形成される領域６３が、約14.3ｃｍ×16.5ｃｍ(約5.625in×6.5in)の外周を有するように配向される。
【００７９】
シート６０用の多層積層は以下の材料を具備できるが、別の方法が可能である。折り畳まれるとき、バッグの外表面を形成するフルオロカーボン処理されていないペーパのシートは、Wausauグレード238-9696、または本明細書に記載される好適な特性を備える同様なペーパである。最内層を形成するフルオロカーボン処理されていないペーパのシートは、Wausauグレード238-9577、または本明細書に記載される好適な特性を備える同様なペーパである。
【００８０】
電子レンジと相互作用する構造またはサセプタ構造は、２層間に配置されるのが好ましい。電子レンジと相互作用する材料は、Tobias濃度計によって測定されるような0.25＋/−0.05の濃度を与えるために、アルミニウムで真空蒸着された、ニュージャージー州、Fort Lee、Saehan America社のポリエステルフィルム（大体は、４８ゲージ）などの金属蒸着されたポリエステルを備えるのが好ましい。そのような材料を用意できる会社は、ニューハンプシャー州、WindhamのRolvac社と、イリノイ州、Wood DaleのVacumet社がある。
【００８１】
一般に、記載される好適な実施形態について、パッケージ用ブランク６０の裏面上の全ての位置で接着剤として、同じ接着剤（例えば、ミネソタ州、St.Paul，H.B.Fuller社、PWF 3007）が使用される。バッグが膨張するとき解除されるこれらのシールについては、シールは、固定された表面の間のより狭い接触表面領域の上方の、他の位置と比較して比較的低い圧力の一方あるいは両方により形成されるのが一般的である。これを達成するために従来の手法が使用される。
【００８２】
層間の積層接着剤については、製品PWF3007またはPWF8540(H.B.Fuller社からも入手可能)を使用できる。PWF8540は、エチレン酢酸ビニル-ポリビニルアルコール(EVA-PVOH)接着剤であり、また耐油性を改良するために使用できる。
【００８３】
様々な寸法と角度が文字で示されている、図５に注目する。これらは、使用可能なパッケージの事例を提供する。示される具体的事例のための寸法は、以下の通りである：（Ａ）53.3ｃｍ（21in）；（Ｂ）8.73ｃｍ（3.4375in）；（Ｃ）5.24ｃｍ（2.0625in）；（Ｄ）5.24ｃｍ（2.0625in）；（Ｅ）14.9ｃｍ（5.8750in）；（Ｆ）2.54ｃｍ（1.0in）；（Ｇ）2.18ｃｍ（0.8579in）；（Ｈ）7.46ｃｍ（2.9375in）；（Ｉ）37°；（Ｊ）0.953ｃｍ（0.375in）；（Ｋ）14.3ｃｍ（5.6250in）；（Ｌ）1.27ｃｍ（0.5in）；（Ｍ）6.51ｃｍ（2.5625in）；（Ｎ）14.9ｃｍ（5.8750in）；（Ｏ）13.2ｃｍ（5.1875in）；（Ｐ）16.5ｃｍ（6.5in）；（Ｑ）4.29ｃｍ（1.6875in）；（Ｒ）0.51ｃｍ（0.2in）；（Ｓ）2.94ｃｍ（1.1562in）；（Ｔ）0.48ｃｍ（0.1875in）；（Ｕ）29.5ｃｍ（11.6250in）；（Ｖ）10.2ｃｍ（４in）；（Ｗ）9.21ｃｍ（3.625in）；（Ｘ）3.49ｃｍ（1.375in）；（Ｙ）12.7ｃｍ（5.0in)；(Z)14.8cm(5.8125in)；（ＡＡ）6.67ｃｍ（2.625in）；（ＢＢ）0.32ｃｍ（0.125in）；（ＣＣ）0.64ｃｍ（0.250in）；（ＤＤ）9.21ｃｍ（3.6250in）；（ＥＥ）1.59ｃｍ（0.6250in）；（ＦＦ）0.56ｃｍ（0.2188in）；（ＧＧ）0.159ｃｍ（0.0625in）。他の寸法は、実物大である。
【００８４】
本事例に記載の構成を、水平フォーム/充填/シール方法または技術などを介して、その上に適切に塗布されるシール材料を有する供給シート材料またはストックから連続処理において、容易に形成できることが予想される。従来の折り畳み装置と本構成の内部にポップコーン材料を配置するための装置を、容易に使用できる。
【００８５】
Ｄ．いくつかの任意なバッグ改良品。
図６と７に関連するこの節においては、以下の記載による改良を除き、大体は図４に記載のバッグを形成するため提供される代りの接着剤パターンが、提供される。事例として提供される代りの接着剤とシール配置を備える、図６と７に表される接着剤フィールドは、図３と５の接着剤フィールドに類似している。
【００８６】
図６に注目する。図６には、図１に記載の代りの構成を折り畳むことが可能なバッグ用ブランク、パネルまたはシート２６０の平面図が示されている。図６に図示される機能の多くは、米国特許第5,195,829号明細書と；第5,044,777号明細書と；第5,650,084号明細書に示されかつ記載され、並びに図３に関して前述される機能にほぼ類似している。下記に詳述されるように、様々なシーラント構成が、パッケージ１の好ましい機能を提供するために使用される。所されるなら、改良のみならず、これらの多様な組合せを提供できる。示されるシーラントフィールドは、使用可能な構成の事例を提供することが意図される。
【００８７】
以下の説明から明らかであるように、図６において好ましい構成を提供するために代りのあるいは任意に使用できるシーラントフィールドが図示される。
【００８８】
図６の図は、シート２６０の“裏面”と言われることがあるもの；即ち図１の組立てられたパッケージ１の内表面を形成するシート２６０の側面２６５から成る。図６において目に見える側面の対向側面は、“正面”と呼ばれることがあり、パッケージ１の外表面を形成する。鏡像の構成も可能であるのは当然である。
【００８９】
さらに図６を参照して、線分２６２は、好適な実施形態のために、図４のサセプタ４５などの電子レンジと相互作用する材料の大部分が関係する領域２６３を形成する。電子レンジと相互作用する構造、例えば図４のサセプタ４５は、構成の内部、または外部、または層４６と、４７との間に配置される。一般に、好適な実施形態について、サセプタ４５は、ブランク２６０の層４６と、４７との間に配置される。
【００９０】
さらに図６を参照して、目に見える表面２６５はこの場合も、パッケージ１が折り畳まれたとき、パッケージ１の内表面を形成する表面である。その結果、図４のポップコーン材料３０は最終的に、中央領域２６３の上方に配置される。
【００９１】
さらに図６を参照すると、線２６６は、図４の折り曲げ部３４が形成される場所をほぼ示し；また線２６７は、図４の折り曲げ部３９が形成される場所をほぼ示す。折り曲げ部または折り目３４と、３９は、一方のフェース２１に隣接する対向側面ガセット２２と、２３中のほぼ外向きの折り曲げ部または折り目である。使用中、その上にポップコーン材料を配置するための表面２１aは、折り曲げ部３４と、３９との間に延びる。線２６８は、折り曲げ部３５と（図４）；線２６９は、折り曲げ部４０と（図４）；線２７０は、折り曲げ部３３と（図４）；線２７１は、折り曲げ部３３と（図４）に一致する。従って、折り曲げ線２６８と２６６との間の領域２７５は、図４のガセットパネル部分４８をほぼ形成し；折り曲げ線２６７と２６９との間の領域２７７は、図４のガセットパネル部分４９をほぼ形成する。
【００９２】
一般に、図１の三重形状は最終的に、線２６６と、２６７と、２６８と、２６９と、２７０と、２７１に垂直な適正に間隔を開けられた方向に沿って折れ曲がるように、パッケージ１全体を折り畳むことにより形成される。この後者の折り畳みは、図２のバッグ構造が別な方法で組立てられた後であるのが一般的であることが理解される。
【００９３】
図６を参照すると、側面２６５からパネル２６０の対向側面に配置される縁２８４aに沿うシーラントフィールド２８４は、折り曲げの際に（大体は熱と圧力の印加により）、縁２８５aに沿うフィールド２８５に係合するように使用され、図４の長手方向継ぎ目またはシール４２を形成する。折り畳みの際、側面２６５の縁２８９ａに沿うフィールド２８９の様々な部分は同様に、（熱と圧力の印加により）図２の端部シール９０の様々な部分を形成するために、互いに一直線に並ぶことと；図６の側面２６５の縁２９２ａに沿うフィールド２９２の様々な部分は、熱と圧力の印加により図２の端部シール９３を形成するために、互いに一直線に並ぶこと；は明らかである。一般的に、フィールド９２は、完成されたバッグの頂部縁を形成し、弾けるまで煎る後に、そこを通して煎られたポップコーンを取除く。図６のパネル２６０の対向側面上のシーラントフィールド２９５と２９６は、折り曲げ線２６８の周囲で折り畳みが行われ、また熱と圧力が印加されるとき、互いに一直線に並び、折り畳み後、図２の端部９０に沿ってパネル２６０を好適な形状に固定するのに役立つ。これは、米国特許第5,195,829号明細書の図１aの構成において行われたことと類似する。同様に、パネルが、折り曲げ線２６９の周囲に折り畳まれるとき、図６のパネル２６０の下側のシーラントフィールド２９８と２９９も互いに一直線に並び、熱と圧力が印加されるとき、図２の端部９０に安定で、かつ好適な端部形状を提供する。
【００９４】
シーラントフィールド３０３と，３０４と，３０５と，３０６と，３０７と，３０８と，３０９と，３１０に注目する。類似のフィールドは、米国特許第5,195,829号明細書に示されている。折り畳みの際、フィールド３０３−３１０の部分は、互いに接着される（大体は圧力と熱の印加後）パネルの選択された部分を固定するために、互いに一直線に並び、その結果膨張の際に好ましい形状を与える。具体的には、折り畳みの際及び圧力と熱の印加後に、フィールド３０３はフィールド３０４に係合し；フィールド３０５はフィールド３０６に係合し；フィールド３０８はフィールド３０７に係合し；フィールド３１０はフィールド３０９に係合する。フィールド３０５と，３０６との間、それからフィールド３０８と，３０７との間の係合は、図４のパネル２１に接するパネル４８，４９の選定された部分を、折り畳まれた折り曲げ部または３重形状２（図１）にポップコーン材料が配置されない領域に固定する傾向がある。フィールド３０４に接して折り畳まれ、かつシールされるシーラントフィールド３０３と、フィールド３０９に接して折り畳まれるフィールド３１０は、図４のポップコーン材料３０が、構成の所望される場所に固定されることを確実にするのに役立つ。これによる有利性は、米国特許第5,195,829号明細書に一部記載される。
【００９５】
さらに図６を参照すると、フィールド３０３a-３１０aは、重複するシールに対するＶ形状またはシェブロン形状を創生するためにフィールド３０３と３１０の各々に対する任意の延長部を示す。これらは、米国特許第5,195,829号明細書に示されるようなポップコーンパッケージ化に使用されることが多く、また使用されてきた。しかしながら、所望されるなら、任意の部分３０３a-３１０aを有利に回避できる。これは、延長部３０３−３１０が、必ずしも完全なシェブロン形状を使用せずに、折り畳まれた構成中に好ましいシールを創生するために適切に斜めに突出するからである。
【００９６】
米国特許第5,195,829号明細書のバッグ構成については、領域９２に隣接するシェブロンフィールドも有利に使用される。図６により示される具体的な構成については、これらは示されない。そのようなフィールドは好適な構成において使用されないことが予想される。しかしながら、それらは任意に使用されることが多い。
【００９７】
シーラントフィールド３２９と、３３０と、３３３と、３３４に注目する。示される好適な実施形態において、これらは、パネル３１５と３１６が図４のパネル２０に接してシールされることを確実にするために使用され、その結果ポップコーン材料３０はチューブ２９（図４）中にほぼ固定され、また加熱の際に所望されるまでチューブ２８内にほぼ拡張したり分散したりすることはない。具体的には、構成が、（熱と圧力の印加により）折り曲げ線２７０の周囲で折り畳まれるとき、フィールド３２９と３３０は、互いに係合するように配向され；また構成が、（熱と圧力の印加により）折り曲げ線２７１の周囲で折り畳まれるとき、フィールド３３３と３３４は、互いに係合するように配向される。
【００９８】
フィールド３２９と、３３０と、３３３と、３３４と関連する型のシールは、旧構造に使用されてきた。例えば、米国特許第5,044,777号明細書を参照されたい。
【００９９】
一般に、シールは、折り畳み後、シーラントが配置される領域への熱と圧力の印加から生じる。記述される様々なシールについて、シーラントは、両方の隣接するペーパ表面上に配置される。このことは都合がよい。しかしながら、シーラントが１方の側面のみに配置され、また２つの側面が、適切な熱と圧力の追加印加と共に折り畳まれるならば、シールを形成できる。
【０１００】
記述されるシーラントフィールドは、熱と圧力と印加によりシールを形成するよう設定される。代りの型のシール、例えば冷間シールを、本開示に記載の構成に使用できる。
【０１０１】
図６の、パッケージ構成２６０の表面２６５上の、シーラントフィールドの残りの記述において、貯蔵と、処理と、使用の際に、ポップコーン材料中の油/脂の漏洩と流動の特性の好適な管理と制御用の選択肢が提供される。シーラントフィールドは、以下のような、二つの方法のうちの一つに使用される。第一は、シーラントフィールドを、パッケージの部分から油/脂を絶縁することにより、絶縁シールを形成し、油/脂の位置を管理するために実際に使用できる。第二は、ペーパ表面へのシーラントの塗布は、その表面の表面張力特性、ひいて油/脂材料との相互作用を変更する。一般に、使用されるシーラントの特性は、処理されていない位置内に油/脂材料の一部を閉じ込めるために機能する。従って、シーラントフィールドを、油/脂材料が液化するときその流動を阻止したい好適な位置でペーパに適用できる。これらの特性とそれらを実行するための選択肢の両方が後述される。
【０１０２】
例えば、ポップコーン材料を、弾けるまで煎る前に、図６の折り曲げ線２６６と、２６７；即ち図４の折り曲げ部３４と、３９の折り目と、好ましくない水準の直接接触から離れた状態に保つのに役立つシール構成を提供できる。この手法は米国仮出願第60/544,873号明細書に記載される。
【０１０３】
折り曲げ線２６６に関して、シーラントフィールド３５０と、３５１に注目し；また折り曲げ線２６７に関して、シーラントフィールド３５３と、３５４に注目する。示される任意の構成について、フィールド３５０と、３５１は互いと一体であり、かつ折り曲げ線２６６で接し、また同様に、フィールド３５３と、３５４は互いと一体であり、かつ折り曲げ線２６７で接するが、このことは必要とされない。（別の言い方をすると、フィールド３５０と、３５１は、そこを通る折り曲げ線２６０を含む単一フィールドの一部であり、またフィールド３５３と、３５４は、そこを通る折り曲げ線２６７を含む単一フィールドの一部であるのが好ましい。）
【０１０４】
折り曲げ線２６６の周囲の折り曲げが作製されるとき、シーラントフィールド３５１は、適正な熱と圧力の供給により生ずる、図４のガセット折り曲げ部絶縁シール１５５を備えてシーラントフィールド３５０と重複する。同様に、折り曲げ線２６７の周囲で折り曲げが生ずるとき、フィールド３５４は、適正な熱と圧力が印加されるとき再シールする、図４のガセット折り曲げ部絶縁シール１５６を備えるフィールド３５０と重複する。
【０１０５】
ポップコーン材料が領域２６３に配置されるとき、ポップコーン材料と、その中の油/脂などの成分は、シール１５５の存在のため、折り目または折り曲げ部２６６と、２６７（即ち図４の付番３４と３９の折り目）へ流動することを阻止される。シール１５５と、１５６は、電子レンジ用ポップコーンを弾けるまで煎る処理の際に蒸気と熱に晒されるとき、解除するように設定されるのが一般的である。
【０１０６】
本明細書において、シール１５５，１５６の型のシールは、連結した（大体は隣接する）折り目または折り曲げ部に対して、この場合も同様に“絶縁シール”と言われることがある。これは、パッケージ１の貯蔵の際、ポップコーン材料内部からの物質の流動と、連結した折り目または折り曲げ部と直接接触に対して、これらのシールが連結した折り目または折り曲げ部を絶縁するからである。従って、シール１５５は、折り目または折り曲げ部３４（図４）を形成するために、線２６６に沿う折り曲げ部または折り目に対する絶縁シーラントフィールドであり、またフィールド１５６は、折り曲げ部または折り目線６７、即ち、折り曲げ部または折り目３９（図４）に対する絶縁シーラントフィールドである。
【０１０７】
図６を参照すると、使用される場合、フィールド３５０と，３５１と，３５３と，３５４は、折り曲げ線２６６と、２６７に沿う延長部において、連続、即ちその中に隙間がないのが好ましい。シーラントフィールドに対する、またその結果生じるシール１５５と，１５６（図４）においてのこの連続的性質は、折り曲げ線２６６と，２６７に生じる折り目での好ましくない漏出または漏洩を抑制するのに役立つ。絶縁フィールドが連続でない場合でさえ、いくつかの有益な結果が達成される。
【０１０８】
使用されるとき、フィールド３５０と，３５１及び３５３と，３５４に対する好適な全長は、端部９０と，９３（図２）との間のパッケージの全長（または、折り曲げ線２６６と，２６９の長さ）の少なくとも20％（通常は、少なくとも25％、大体は、少なくとも30％）であるのが好ましい。各々は図２のパッケージ１または図６の折り曲げ線２６６と，２６９の長さの少なくとも45％であるのがより好ましく；パッケージの延長部の長手方向のフィールド３５０と，３５１と，３５３と，３５４の長さは、端部９０と，９３との間のパッケージ１、または折り曲げ線２６６と，２６９（図７）の全長の50％−60％であるのが最も好ましくかつ一般的である。別の方法が可能であるが、これらは好適なシールである。図６では、図２の端部９０と，９３を形成するブランク６０の部分は、それぞれ縁２９２ａと２８９ａである。
【０１０９】
使用されるとき、シール１５５と，１５６は少なくとも、３重形状の折り曲げ部（図２の折り曲げ線１１と，１２にそれぞれ一致する）の間に連続的に延びるように配置され、かつ設定されるのが最も好ましい。
【０１１０】
使用されるとき、図６のフィールド３５０と，３５１と，３５３と，３５４は、図２の折り畳みパッケージ１の端部９０と，９３に相当する、パッケージ用ブランク２６０の連結縁２９２ａと，２８９ａから間隔を開けられた端部で終了することが最も好ましい。間隔は、縁８９ａから少なくとも70ｍｍ（例えば、約80−95ｍｍ）;縁９２ａから少なくとも70mmであるのが好ましい。間隔は、各縁２８９ａ，２９２ａから必ずしも同一である必要はない。実際、示される実施形態では、同一でない。
【０１１１】
位置３６０と、３６１との間の、米国仮出願第60/544,873号明細書に記載されるのと類似の横方向シールを同様に使用できる。
【０１１２】
いくつかの構成において、フィールド３５９と、３５１及び３５３と３５４により提供される連続シールを使用することは好ましくない。いくつかの応用において、線２６６と、２６７に沿う折り曲げが行われるとき、領域３６３と、３６４；３６５と、３６６；３６７と、３６８；及び３６９と、３７０により形成されるシールを提供することは単純に好ましい。特に、フィールド３６３と、３６４は、線２６６の上方に接着剤の円形ドットを備え、フィールド３６５と３６６は同様に、線２６６の上方に接着剤の円形フィールドを形成する。線２６６に沿う折り曲げが生じるとき、これらのフィールドは、図４の結果として生ずるガセット折り曲げ部３４に隣接するシールされた接着剤のスポットをこれらの位置に形成する。これは、連続シールを使用せずに油/脂材料を含むのに役立つことが多い。
【０１１３】
フィールド３６７と、３６８；及び３６９と、３７０からの円形パターンにより形成されるシールを介して、折り曲げ線２６７に沿う類似の効果が達成される。
【０１１４】
円形とは別の形状を、フィールド３６３-３７０用に使用できることは当然である。
【０１１５】
いくつかの実施形態において、接着剤の無い中央領域３７７を残している、付番３７５と３７６で示される領域中の領域２６３の上方へ接着剤を提供することが好ましい。一般に、油/脂は、処理されていない、特にペーパ表面がフルオロカーボン処理されていない場合、ペーパ表面の上方を流動するようにはシーラントフィールドの上方を流動しない。従って、シーラントフィールド３７５と、３７６は、領域３７７に配置される油/脂材料を含むのに役立つ。同様に、領域３８０のシーラント処理を、この目的のために使用できる。即ち、シーラント処理は、領域３７７から油/脂材料の好ましくない流動を阻止するために、実際にはシールを形成するのではなく、どちらかといえば表面処理から成る。上述の機能は任意であり、また含まれる材料に応じて異なる効果のために使用できる。
【０１１６】
層間の接着剤に関して、場合によっては、特定の位置に連続な接着剤を、また他の位置に不連続な接着剤を提供することが好ましい。図６において、点付きの印刷パターンを備え、付番４００で示されるフィールドは、層４６と，４７用に使用されるペーパの性質に一部依存する、連続な適用範囲を有するための好適な位置を示している。この理由は、積層接着剤を、いくつかの利点のある耐油効果を提供するように好ましく選択できるからである。点付きでない領域４０１では、例えば、各々を引用することにより本明細書の記載に替える特許第5,753,895号明細書と；第5,928,554号明細書と；第6,396,036号明細書に記載されるような不連続な適用範囲を使用できると予想される。
【０１１７】
図４を参照すると、使用される場合、シール１５５と，１５６の幅は、少なくとも0.25ｃｍ、大体で、かつ好ましくは少なくとも0.5ｃｍ、大体は約0.8−1.4ｃｍであるのが好ましい。この文脈の、“幅”は、縁１５５ａと，１５６ａの各々から内向きの、即ち、互いに向けての延長の距離である。シール１５５と，１５６は、一定の幅から成る必要はないが、それらをこのように示すのは当然である。
【０１１８】
図７に注目する。図７は、特定の寸法の文字標示を除き図６に類似の図である。本明細書に提供される一事例用の寸法は、以下の通りである：（Ａ）53.3ｃｍ（21in）；（Ｂ）8.7ｃｍ（3.4375in）；（Ｃ）5.2ｃｍ（2.0625in）；（Ｄ）5.2ｃｍ（2.0625in）；（Ｅ）14.9ｃｍ（5.8750in）；（Ｆ）5.2ｃｍ（2.0625in）；（Ｇ）5.2ｃｍ（2.0625in）；（Ｈ）8.7ｃｍ（3.4375in）；（Ｉ）2.5ｃｍ（1in）；（Ｊ）7.5ｃｍ（2.9375in）；（Ｋ）0.5ｃｍ（0.2000in）；（Ｌ）2.9ｃｍ（1.1562in）；（Ｍ）2.2ｃｍ（0.8579in）；（Ｎ）0.5ｃｍ（0.1875in）；（Ｏ）25.4ｃｍ（10.0000in）；（Ｐ）14.3ｃｍ（5.625in）；（Ｑ）1.3ｃｍ（0.5in）；（Ｒ）1.3ｃｍ（0.5in）；（Ｓ）6.5ｃｍ（2.5625in）；（Ｔ）14.9ｃｍ（5.8750in）；（Ｕ）29.5ｃｍ（11.6250in）；（Ｖ）10.2ｃｍ（４.0000in）；（Ｗ）10.2ｃｍ（4.0000in）；（Ｘ）9.2ｃｍ（3.6250in）；（Ｙ）1.3ｃｍ（0.5in)；(Z)1.3cm(0.5in)；（ＡＡ）直径1.9ｃｍ（0.750in）；（ＢＢ）16.5ｃｍ（6.5in）；（ＣＣ）4.3ｃｍ（1.6875in）；（ＤＤ）14.8ｃｍ（5.8125in）；（ＥＥ）0.3ｃｍ（0.1250in）；（ＦＦ）2.5ｃｍ（1.0in）；（ＧＧ）0.6ｃｍ（0.250in）；（ＨＨ）9.2cm（3.625in）；（ＩＩ）0.3cm（0.1250in）；（ＪＪ）0.6cm（0.2500in）；（ＫＫ）37°；（ＬＬ）1.6cm（0.6250in）；（ＭＭ）0.6cm（0.2188in）；（ＮＮ）0.2cm（0.06250in）；（ＯＯ）2.5cm（1in）；（ＰＰ）13.2cm（5.1875in）。他の寸法を、実物大を想定し決定できる。
【０１１９】
フルオロカーボン処理されていないペーパを、使用されるように本節において述べる場合、以下の接着剤は使用可能な材料の事例である。第一に、表面の接着剤については、表面６５に塗布される接着剤である、ミネソタ州、St.PaulのH.B.Fuller社から入手可能なPWF3007を使用できる。層間の領域２０１と２００の接着剤については、積層接着剤として、H.B.Fuller社から同様に入手可能な製品PWF8540を使用できる。
【０１２０】
Ｅ.  いくつかの一般的観察。
前述によって、形成された好適なペーパが使用されるとき、フルオロカーボン処理されたパッケージ材料を回避することに対する、ほぼ好適な電子レンジ用ポップコーン製品が生ずる。さらに、パッケージは、バッグ内部を有し、第一及び第二の対向し内向きの側面ガセットによって連結される、第一と第二の対向フェースパネルを含んでいる折り畳みバッグであるようなパッケージであるのが好ましい。
【０１２１】
本装置が使用されるとき、ポップコーン材料は、第一のフェースパネルの内表面上、または内表面に接して配置される。
【０１２２】
さらに、電子レンジと相互作用する構造がバッグと連結して２層間に配置される、有利な装置が提供される。電子レンジと相互作用する構造は、ポップコーン材料固定表面、即ち、電子レンジ用ポップコーン材料が設置される場所に接するバッグの内側の部分と、熱伝導的に接触して提供される。
【図面の簡単な説明】
【０１２３】
【図１】図１は、本発明の一つの実施形態に記載の構成の正面斜視図であり；図１の構成は、オーバーラップ貯蔵で表され、縁で立って配向されている。
【図２】図２は、図１に記載の構成の概略平面図であり；調理用電子レンジ中に配置されるときのように、包装されず、かつ拡げられて表されている。
【図３】図３は、バッグ構成が、図１と２に示されるように折り畳み可能である、可撓性のシート材料から成るシートの拡大平面図であり；図３の構成は、シール材料が構造中に好ましく配置される場所を示すマーキングを含んでいる。
【図４】図４は、図２の線４−４にほぼ沿った拡大断面図である。
【図５】図５は、図３に類似の図であり、本明細書に見られる事例の寸法を示す文字が付いている。
【図６】図６は、図２の構成を形成するために使用可能な、図３に示されるブランクとは別のパッケージ用ブランクの平面図である。
【図７】図７は、図６に類似の図であるが、この明細書に見られる寸法を示す符号が付いている。  図面の一部には、場合によっては、明確化のために、関連する構成部品の厚みが誇張して示されている。
【図１】
2007528828.tif 000005
【図２】
2007528828.tif 000006
【図３】
2007528828.tif 000007
【図４】
2007528828.tif 000008
【図５】
2007528828.tif 000009
【図６】
2007528828.tif 000010
【図７】
2007528828.tif 000011
【国際調査報告】
2007528828.tif 000012
2007528828.tif 000013